(57)【特許請求の範囲】
【請求項１】
１つの通信経路で受信した２つ以上の信号を含んだ受信信号を、複数台のチューナユニットに分配する分配ユニットを備えた信号処理装置において、
上記チューナユニットのうちの少なくとも一つと上記分配ユニットとが一つの金属筐体で覆われ、
他のチューナユニットと上記分配ユニットとを接続するための分配出力端子を備えていることを特徴とする信号処理装置。
【請求項２】
上記分配ユニットと一つの金属筐体で覆われているチューナユニットは、上記分配された信号からケーブルテレビ映像信号以外の信号を選択受信し、当該信号を復調方式に応じた周波数に変換するチューナ機能を備えることを特徴とする請求項１記載の信号処理装置。
【請求項３】
２つ以上の送信信号がそれぞれ入力される複数の送信信号入力部と、
上記送信信号入力部にて入力された上記２つ以上の送信信号のうちの少なくとも一つを上記通信経路へ送信する送信経路を備えたことを特徴とする請求項１記載の信号処理装置。
【請求項４】
上記通信経路へ送信するものとして、２つ以上の上記送信信号を結合する結合部を備えたことを特徴とする請求項３記載の信号処理装置。
【請求項５】
上記各送信信号入力部と上記結合部との間に、送信経路ごとにローパスフィルタを備えていることを特徴とする請求項４記載の信号処理装置。
【請求項６】
上記通信経路へ送信する上記送信信号を切り換える切り換え部を備えたことを特徴とする請求項３記載の信号処理装置。
【請求項７】
上記各送信信号入力部と上記切り換え部との間に、送信経路ごとにローパスフィルタを備えていることを特徴とする請求項６記載の信号処理装置。
【請求項８】
上記分配出力端子に、コネクタ付き同軸ケーブルが備えられていることを特徴とする請求項１記載の信号処理装置。
【請求項９】
上記分配ユニット内に、上記受信信号が入力される入力部と、上記入力部から入力された受信信号を各チューナユニットに分配する分配素子とを備え、
上記入力部と上記分配素子との間に、増幅器が備えられていることを特徴とする請求項１記載の信号処理装置。
【請求項１０】
上記増幅器と上記分配素子との間に、可変減衰回路が備えられていることを特徴とする請求項９記載の信号処理装置。
【請求項１１】
上記入力部と上記増幅器との間に、可変減衰回路が備えられていることを特徴とする請求項９記載の信号処理装置。
【請求項１２】
上記分配ユニット内に、上記受信信号が入力される入力部と、上記入力部から入力された受信信号を各チューナユニットに分配する分配素子とを備え、
上記分配素子と上記分配出力端子との間に、増幅器が備えられていることを特徴とする請求項１記載の信号処理装置。
【請求項１３】
上記増幅器と上記分配出力端子との間に、可変減衰回路が備えられていることを特徴とする請求項１２記載の信号処理装置。
【請求項１４】
上記分配素子と上記増幅器との間に、可変減衰回路が備えられていることを特徴とする請求項１２記載の信号処理装置。
【請求項１５】
上記分配ユニット内に、上記受信信号が入力される入力部と、上記入力部から入力された受信信号を各チューナユニットに分配する分配素子とを備え、
上記分配素子が、トランスの一方の側である入力端子および出力端子と、そのトランスのもう一方の側である分岐端子とを備えた分岐器であり、
上記分岐器の入力端子に上記入力部が接続され、
上記複数台のチューナユニットのうち、上記分岐器の分岐端子に、他のチューナユニットが選択受信する受信周波数帯域内に入る発振周波数帯域を有するチューナユニットが接続され、上記分岐器の出力端子に、上記分岐端子に接続されたチューナユニット以外のチューナユニットが接続され、
上記分岐器の出力端子および分岐端子の何れかに接続されているチューナユニットが、上記分配ユニットと一つの金属筐体で覆われていることを特徴とする請求項１記載の信号処理装置。
【発明の詳細な説明】
【０００１】
【発明の属する技術分野】
本発明は、複数の変調信号を同時に受信できるデジタルＳＴＢ（Set Top Box ）等に用いられる信号処理装置に関するものである。
【０００２】
【従来の技術】
従来のデジタルＣＡＴＶ（ケーブルテレビ）用ＳＴＢ（セットトップボックス）として供給されているフロントエンド周辺のブロック図の一例を図１９、図２０に示す。図１９に示す、ＣＡＴＶ用ＳＴＢのフロントエンド周辺の動作について、代表的な米国向けＳＴＢをもとに、以下に説明する。
【０００３】
入力端子（Ｉ）より、入力されるダウンストリーム信号（５５．２５〜８６５．２５ＭＨｚ）は、映像受信用チューナユニットにおいて、選択、増幅、周波数変換、帯域制限が行われ、４５．７５ＭＨｚの信号として出力される。その後、信号の変調方式に応じ、対応する復調回路１３１で復調される。
【０００４】
次に、映像受信用チューナユニット内部の動作を説明する。まず、入力信号は、アンプ１２１において、増幅され、ミキサ１２２において、オシレータ１２３にて生成される発振信号と混合され、周波数変換される。この際、受信周波数にあわせ、発振信号の周波数を変化させる。次に、バンドパスフィルタ１２４において必要な帯域制限を受け、アンプ１２５において、増幅、再度、バンドパスフィルタ１２６により、帯域制限を行う。次に、ミキサ１２７において、オシレータ１２８にて生成される発振信号と混合され、周波数変換される。その出力をアンプ１２９にて増幅、バンドパスフィルタ１３０により、帯域制限を行われ、出力される。
【０００５】
出力端子（II）は、電話回線につながっており、アップストリーム信号は、変調器１３４にて必要な変調が行われ、出力される。
【０００６】
図１９と図２０に示す例の違いは、アップストリーム信号の出力を、電話回線を用いて行う場合（図１９）とケーブル回線を用いて行う場合（図２０）の違いのみである。よって、図２０についての説明は、図１９の説明と異なる点のみ行う。
【０００７】
図２０では、入力端子（Ｉ）より入力されたダウンストリーム信号は、ハイパスフィルタ１４１において、帯域制限を受けた後、アンプ１２１にて増幅される。図２０では、アップストリーム信号（５〜２７ＭＨｚ）が入力端子（Ｉ）より出力されるため、ハイパスフィルタ１４１は、その信号がダウンストリーム側の動作に妨害を与えないようにする役割を持つ。
【０００８】
また、アップストリーム信号は、変調器１３２にて必要な変調が行われた後、アンプ１３３にて増幅、ローパスフィルタ１５１において、帯域制限を受けた後、入力端子（Ｉ）より、出力される。ローパスフィルタ１５１は、ダウンストリーム信号がアップストリーム側の動作に妨害を与えないようにする役割、及び、アップストリーム信号の高調波がアップストリーム側に妨害を与えないようにする役割を持つ。
【０００９】
なお、通常、フロントエンドのユニットとして、図中の映像受信用チューナユニットが準備される。これに対し、近年普及してきた、ＣＡＴＶ網を使ってインターネット接続を行う、ケーブルモデムフロントエンド周辺のブロック図の一例を図２１に示す。図２１に示す、ケーブルモデムフロントエンド周辺の動作について、代表的な米国向けケーブルモデムをもとに、以下に説明する。
【００１０】
入力端子（Ｉ）より入力されるダウンストリーム信号（９１〜８５７ＭＨｚ）は、データ受信用チューナユニットにおいて、選択、増幅、周波数変換、帯域制限が行われ、４３．７５ＭＨｚの信号として出力される。その後、ＱＡＭ復調回路１２０で復調される。
【００１１】
また、アップストリーム信号（５〜４２ＭＨｚ）は、変調器１３２にて必要な変調が行われた後、アンプ１３３にて増幅、データ受信用チューナユニット内部のローパスフィルタ１５１において、帯域制限を受けた後、入力端子（Ｉ）より、出力される。
【００１２】
次に、データ受信用チューナユニット内部の動作を説明する。入力信号は、ハイパスフィルタ１４１により帯域制限を受けた後、アンプ１１１において増幅される。次に、バンドパスフィルタ１１２において必要な帯域制限を受け、アンプ１１３において増幅され、再度、バンドパスフィルタ１１４により帯域制限を行う。次に、ミキサ１１５において、オシレータ１１６にて生成される発振信号と混合され、周波数変換される。その出力をアンプ１１７にて増幅、ＳＡＷフィルタ１１８において帯域制限を行われ、再度、アンプ１１９において増幅、出力される。なお、ハイパスフィルタ１４１、および、ローパスフィルタ１５１の役割については、図２０と同じである。
【００１３】
なお、通常、フロントエンドのユニットとして、図中のデータ受信用チューナユニットが準備される。従来、デジタルＣＡＴＶ用ＳＴＢとケーブルモデムは、別々に供給されていたため、ＣＡＴＶ加入者は、同時に両方のサービスを受ける場合、各加入者宅にて、ケーブルの信号を分配した上で、２つのセットに繋げる必要があった。
【００１４】
従来の２セットをそのまま１セットに入れ込んだ場合、信号分配器をセットの入力部に用意する必要がある。このセットのブロック図を図２２に示す。ここでは、通常、フロントエンドのユニットとして、図中の分配ユニット、映像受信用チューナユニット、データ受信用チューナユニットが準備され、３ユニット構成となっている。
【００１５】
図２２の動作について説明する。入力端子（Ｉ）より入力されるダウンストリーム信号は、ハイパスフィルタ１４１において帯域制限を受け、次に、分配器１４２において分配の上、データ受信用、及び、映像受信用チューナユニットに分配出力される。分配出力された信号は、図１９、２１の説明と同じく、復調される。また、アップストリーム信号は、２種類あり、図１９にての説明と同じく、出力端子（II）より出力されるものと、図２１にての説明と同じく、分配ユニット内で、ローパスフィルタ１５１により帯域制限を受け、入力端子（Ｉ）より出力されるものとがある。
【００１６】
この分配ユニットは、電磁結合、または、静電結合により、不要妨害波が分配器に結合し、分配器を経由し、外部へ漏洩することを回避するため、金属媒体に囲まれたユニットとして準備されるが、このことは、セットのコストアップ要因となっている。
【００１７】
また、高周波ユニットを結合する場合、インピーダンスマッチングの必要があり、また、妨害波の結合等の問題があるため、単品の評価以外に、組み合わせた場合の性能評価をそれぞれ実施する必要がある。
【００１８】
【発明が解決しようとする課題】
全てのユニットを個々の筐体に分けて格納した構成では、高周波ユニット同士のインピーダンスマッチング等を適合させたり、各ユニット内の発振器間の干渉を防いだりするできるように、全てのユニット同士の相性を新たに調整する必要がある。また、それぞれに筐体が必要になるので、全表面積を覆うために筐体材料が多く必要となり、製造コストが増大する。
【００１９】
また、全てのユニットを一つの筐体に格納した構成では、今まで使用してきた通信線（通信経路）を流用して分配しながら新たな通信を行おうとした場合、その都度、通信装置全体を総入れ替えしなければならない。また、ユニット間が隔てられていないため、各ユニットで発生した熱が他のユニットへ大きな悪影響を及ぼす。また、各チューナユニット内に、受信した信号を周波数変換するための発振器が備えられている場合、チューナユニット間で、その発振器同士の干渉が発生することがある。
【００２０】
本発明は、上記問題点に鑑みなされたものであり、その目的は、新たな装置の相性の問題と、今までの装置に使用できる汎用性とを両立することができる信号処理装置を提供することにある。
【００２１】
【課題を解決するための手段】
上記の課題を解決するため、本発明の信号処理装置は、１つの通信経路で受信した２つ以上の信号を含んだ受信信号を、複数台のチューナユニットに分配する分配ユニットを備えた信号処理装置において、上記チューナユニットのうちの少なくとも一つと上記分配ユニットとが一つの金属筐体で覆われ、他のチューナユニットと上記分配ユニットとを接続するための分配出力端子を備えていることを特徴としている。
【００２２】
上記の構成により、上記分配ユニットと少なくとも一つのチューナユニットとが一つの金属筐体で覆われ、他のチューナユニットと上記分配ユニットとを接続するための分配出力端子を備えている。
【００２３】
上記の構成によれば、分配ユニットと、それと同一の筐体に入っているチューナユニットとについては、製造時点で相性の正確・精密な調整が可能である。また、複数のユニットに対して１つの筐体で済ませているため、必要な筐体材料を軽減でき、製造コストの上昇を抑えることができる。
【００２４】
それとともに、上記の構成によれば、分配出力端子にて、今まで使っているチューナユニットを将来も使用することができる。また、ユニット間が隔てられているため、各ユニットで発生した熱が他のユニットへ及ぼす悪影響を軽減できる。また、各チューナユニット内に、受信した信号を周波数変換するための発振器が備えられている場合でも、チューナユニット間で、その発振器同士の干渉を抑制することができる。
【００２５】
それゆえ、新たな装置の相性の問題と、今までの装置に使用できる汎用性とを両立することができる。
【００２６】
また、本発明の信号処理装置は、上記の構成に加えて、上記分配ユニットと一つの金属筐体で覆われているチューナユニットは、上記分配された信号からケーブルテレビ映像信号以外の信号を選択受信し、当該信号を復調方式に応じた周波数に変換するチューナ機能を備えることを特徴としている。
【００２７】
上記の構成により、上記分配ユニットと一つの金属筐体で覆われているチューナユニットは、上記分配された信号からケーブルテレビ映像信号以外の信号を選択受信し、当該信号を復調方式に応じた周波数に変換する。
【００２８】
それゆえ、上記の構成による効果に加えて、すでにケーブルテレビ受信装置を取り付けている環境において、そのケーブルテレビ受信装置を生かしながら、ケーブルテレビ放送受信と、それ以外の通信とを使用することができる。
【００２９】
また、本発明の信号処理装置は、上記の構成に加えて、２つ以上の送信信号がそれぞれ入力される複数の送信信号入力部と、上記送信信号入力部にて入力された上記２つ以上の送信信号のうちの少なくとも一つを上記通信経路へ送信する送信経路を備えたことを特徴としている。
【００３０】
上記の構成により、２つ以上の送信信号がそれぞれ入力される複数の送信信号入力部と、上記送信信号入力部にて入力された上記２つ以上の送信信号のうちの少なくとも一つを上記通信経路へ送信する送信経路が備えられている。
【００３１】
したがって、上記通信経路へ、２つ以上の送信信号のうちの少なくとも一つが送信される。それゆえ、上記の構成による効果に加えて、すでにある通信経路を利用して、２つ以上の送信信号のうちの少なくとも一つを送信することができる。
【００３２】
また、本発明の信号処理装置は、上記の構成に加えて、上記通信経路へ送信するものとして、２つ以上の上記送信信号を結合する結合部を備えたことを特徴としている。
【００３３】
上記の構成により、２つ以上の上記送信信号を結合して上記通信経路へ送信する。それゆえ、上記の構成による効果に加えて、すでにある通信経路を利用して、２つ以上の送信信号の両方を同時に送信することができる。
【００３４】
また、本発明の信号処理装置は、上記の構成に加えて、上記各送信信号入力部と上記結合部との間に、送信経路ごとにローパスフィルタを備えていることを特徴としている。
【００３５】
上記の構成により、上記各送信信号入力部と上記結合部との間に、送信経路ごとにローパスフィルタが備えられている。それゆえ、上記の構成による効果に加えて、複数の送信経路の帯域が互いに異なっていても、それぞれに最適なローパスフィルタを備えることができる。
【００３６】
また、本発明の信号処理装置は、上記の構成に加えて、上記通信経路へ送信する上記送信信号を切り換える切り換え部を備えたことを特徴としている。
【００３７】
上記の構成により、上記通信経路へ送信する上記送信信号を切り換える切り換え部を備えており、２つ以上の上記送信信号を切り換えることで、そのうちの一つを上記通信経路へ送信する。それゆえ、上記の構成による効果に加えて、すでにある通信経路を利用して、２つ以上の送信信号を切り換えながら送信することができる。
【００３８】
また、本発明の信号処理装置は、上記の構成に加えて、上記各送信信号入力部と上記結合部との間に、送信経路ごとにローパスフィルタを備えていることを特徴としている。
【００３９】
上記の構成により、上記各送信信号入力部と上記結合部との間に、送信経路ごとにローパスフィルタが備えられている。それゆえ、上記の構成による効果に加えて、複数の送信経路の帯域が互いに異なっていても、それぞれに最適なローパスフィルタを備えることができる。
【００４０】
また、本発明の信号処理装置は、上記の構成に加えて、上記分配出力端子に、コネクタ付き同軸ケーブルが備えられていることを特徴としている。
【００４１】
上記の構成により、上記分配出力端子に、コネクタ付き同軸ケーブルが備えられている。それゆえ、上記の構成による効果に加えて、コネクタ付き同軸ケーブルの分も含めて、信号処理装置内の各部材同士の相性を、製造時点で正確・精密に調整することが可能になる。
【００４２】
また、本発明の信号処理装置は、上記の構成に加えて、上記分配ユニット内に、上記受信信号が入力される入力部と、上記入力部から入力された受信信号を各チューナユニットに分配する分配素子とを備え、上記入力部と上記分配素子との間に、増幅器が備えられていることを特徴としている。
【００４３】
上記の構成により、上記入力部と上記分配素子との間に、増幅器が備えられている。それゆえ、上記の構成による効果に加えて、分配素子による信号レベルのロスを補償することができる。
【００４４】
また、本発明の信号処理装置は、上記の構成に加えて、上記増幅器と上記分配素子との間に、可変減衰回路が備えられていることを特徴としている。
【００４５】
上記の構成により、上記増幅器と上記分配素子との間に、可変減衰回路が備えられている。それゆえ、上記の構成による効果に加えて、各チューナユニットへの信号入力レベルを一定レベル以下に制限する場合に、各チューナユニットにそれぞれ可変減衰回路を設ける必要をなくすことができる。
【００４６】
また、本発明の信号処理装置は、上記の構成に加えて、上記入力部と上記増幅器との間に、可変減衰回路が備えられていることを特徴としている。
【００４７】
上記の構成により、上記入力部と上記増幅器との間に、可変減衰回路が備えられている。それゆえ、上記の構成による効果に加えて、各チューナユニットへの信号入力レベルを一定レベル以下に制限する場合に、各チューナユニットにそれぞれ可変減衰回路を設ける必要をなくすことができる。また、入力信号レベルが大きいときに、上記増幅器で発生する歪みを低減することができる。
【００４８】
また、本発明の信号処理装置は、上記の構成に加えて、上記分配ユニット内に、上記受信信号が入力される入力部と、上記入力部から入力された受信信号を各チューナユニットに分配する分配素子とを備え、上記分配素子と上記分配出力端子との間に、増幅器が備えられていることを特徴としている。
【００４９】
上記の構成により、上記分配素子と上記分配出力端子との間に、増幅器が備えられている。それゆえ、上記の構成による効果に加えて、分配出力端子側のチューナユニットへの信号入力レベルを最適レベルに設定することができる。
【００５０】
また、本発明の信号処理装置は、上記の構成に加えて、上記増幅器と上記分配出力端子との間に、可変減衰回路が備えられていることを特徴としている。
【００５１】
上記の構成により、上記増幅器と上記分配出力端子との間に、可変減衰回路が備えられている。それゆえ、上記の構成による効果に加えて、可変減衰回路を入力信号レベルに応じて適切に制御することで、分配出力端子側のチューナユニットへの信号入力レベルを最適な一定レベル以下に制限することができる。
【００５２】
また、本発明の信号処理装置は、上記の構成に加えて、上記分配素子と上記増幅器との間に、可変減衰回路が備えられていることを特徴としている。
【００５３】
上記の構成により、上記分配素子と上記増幅器との間に、可変減衰回路が備えられている。それゆえ、上記の構成による効果に加えて、可変減衰回路を入力信号レベルに応じて適切に制御することで、分配出力端子側のチューナユニットへの信号入力レベルを最適な一定レベル以下に制限することができる。また、入力信号レベルが大きいときに、上記増幅器で発生する歪みを低減することができる。
【００５４】
また、本発明の信号処理装置は、上記の構成に加えて、上記分配ユニット内に、上記受信信号が入力される入力部と、上記入力部から入力された受信信号を各チューナユニットに分配する分配素子とを備え、上記分配素子が、トランスの一方の側である入力端子および出力端子と、そのトランスのもう一方の側である分岐端子とを備えた分岐器であり、上記分岐器の入力端子に上記入力部が接続され、上記複数台のチューナユニットのうち、上記分岐器の分岐端子に、他のチューナユニットが選択受信する受信周波数帯域内に入る発振周波数帯域を有するチューナユニットが接続され、上記分岐器の出力端子に、上記分岐端子に接続されたチューナユニット以外のチューナユニットが接続され、上記分岐器の出力端子および分岐端子の何れかに接続されているチューナユニットが、上記分配ユニットと一つの金属筐体で覆われていることを特徴としている。
【００５５】
上記の構成により、上記分配素子が、トランスの一方の側である入力端子および出力端子と、そのトランスのもう一方の側である分岐端子とを備えた分岐器である。したがって、分岐器の出力端子および分岐端子のうち、分配ユニットと一つの金属筐体で覆われているチューナユニットが接続されているほうの端子から、他方の端子へのクロストークは小さい。
【００５６】
それゆえ、上記の構成による効果に加えて、各チューナユニットで良好に信号を受信することができる。例えば、あるチューナユニットＡが、発振信号を生成して、上記入力部から入力された受信信号にその発振信号を混合することでその受信信号を周波数変換する発振器を備え、その発振信号の周波数が、他のチューナユニットＢの受信周波数帯域内に入ってしまうような場合でも、チューナユニットＡには上記分岐器の分岐端子からの信号を入力させ、チューナユニットＢには上記分岐器の出力端子からの信号を入力させるようにすれば、チューナユニットＡの発振器由来の、チューナユニットＢへのクロストークを軽減することができる。そのため、チューナユニットＢで良好に信号を受信することができる。
【００５７】
【発明の実施の形態】
以下、この発明の実施の形態について図面を用いて説明する。
【００５８】
図１は、本実施形態の一例のブロック図を、ＳＴＢ（Set Top Box ）のフロントエンド部１全体を含め、図示している。図１のそれぞれのブロックの動作については、図２２と同一であるため、省略する。１１ないし２０は、それぞれ、図２２の１１１ないし１２０と同一である。２１ないし３１は、それぞれ、図２２の１２１ないし１３１と同一である。３２ないし３４は、それぞれ、図２２の１３２ないし１３４と同一である。４１、４２、５１は、それぞれ、図２２の１４１、１４２、１５１と同一である。
【００５９】
フロントエンドモジュール２（信号処理装置）は、図２２のデータ受信用チューナユニット１０２と分配ユニット１０４とを１つのユニットにまとめたものとなっており、これら両ユニットを１つの金属筐体内に格納している。映像受信用チューナユニット３は、図２２の映像受信用チューナユニット１０３と同一であり、フロントエンドモジュール２とは別の金属筐体内に格納されている。これらの金属筐体に用いうる金属としては、例えばターンシート、ブリキ等を挙げることができる。すなわち、ハイパスフィルタ４１および分配器４２によって分配ユニットが構成され、１１ないし１９で示す部材によりデータ受信用チューナユニットが構成されている。上記分配ユニットは、１つの通信経路で受信した２つ以上の信号（ここでは、映像受信用チューナユニット３用の信号、および、フロントエンドモジュール２内の上記データ受信用チューナユニット用の信号の２つ）を含んだ受信信号を各信号に分離し、分離した各信号を、各信号に対応するチューナユニット（ここでは、映像受信用チューナユニット３および上記データ受信用チューナユニット）に送るものである。
【００６０】
ハイパスフィルタ（ＨＰＦ）４１およびローパスフィルタ（ＬＰＦ）５１によってディプレクサ（Ｄｉｐｌｅｘｅｒ）が構成されている。
【００６１】
４２は、分配機能を有する分配器（分配素子）である。これは図１６のような構成を有している。すなわち、分配器６１（分配器４２）は、インピーダンス変成器６２と分配回路６３とを有し、入力端子ＩＮから入力された信号を分配端子Ｄ１とＤ２とに分配、すなわち同時に両方に出力する作用を有している。
【００６２】
図２、図３は、本実施形態の一例であり、フロントエンドモジュールの外形の例を示している。入力信号は、図中の入力端子２ａより入力され、内部で分配の上、図中の分配出力端子２ｂまたは２ｃより出力される。分配出力端子２ｂは、同軸構造をもつコネクタとしてＲＣＡ  ＰＨＮＯ  ＪＡＣＫを採用している。分配出力端子２ｃは、同軸構造をもつコネクタとしてＭＩＮＩ  ＪＡＣＫを採用している。
【００６３】
なお、図２、図３はあくまで一例であり、この発明の実施形態として、入力端子及び分配出力端子の種類、位置関係、また、モジュールの筐体の形状を限定するものではない。
【００６４】
図１に示す構成例に用いる高周波ユニットは、フロントエンドモジュール、映像受信用チューナユニットの２つになっている。図２２の従来の技術では、分配ユニット、データ受信用チューナユニット、映像受信用チューナユニットの３つであったが、本構成により２つに減らすことができており、セット全体のコストダウンにつながっている。
【００６５】
また、高周波ユニット間の接続ポイントが従来の２つ（分配ユニットとデータ受信用ユニット間、分配ユニットと映像受信用ユニット間）から、１つ（フロントエンドモジュールと映像受信用チューナユニット間）に減っており、組み合わせての評価内容を低減することが可能となっている。
【００６６】
さらに、フロントエンドモジュールと映像受信用チューナユニットとの接続により、懸念される、電気性能の劣化を、フロントエンドモジュールの分配出力端子として、図２、図３に代表される同軸構造をもつコネクタを採用することで、回避している。
【００６７】
図４は、本実施形態の一例のブロック図を、ＳＴＢのフロントエンド部全体を含め、図示している。図４の動作について、以下説明する。なお、図１と同様の点については、説明を省略する。
【００６８】
図４に示すフロントエンドは、セットが、２つの異なるアップストリーム信号（１、２）（送信信号）を同時に入力端子（Ｉ）より通信経路へ送信する必要がある場合に用いられるものである。アップストリーム信号（１、２）は、それぞれ、変調器３５（送信信号入力部）、変調器３７（送信信号入力部）で変調、アンプ３６、３８で増幅後、フロントエンドモジュール内の結合器５２（結合部）にて結合され、ローパスフィルタ５１で帯域制限を受けた後、入力端子（Ｉ）より送信される。すなわち、変調器３５、変調器３７、アンプ３６、アンプ３８、結合器５２、ローパスフィルタ５１で送信経路が形成されている。本構成により、２つの異なるアップストリーム信号を全く同時に送信することが可能となっている。
【００６９】
図５は、本実施形態の一例のブロック図を、ＳＴＢのフロントエンド部全体を含め、図示している。図５の動作について、以下説明する。なお、図１と同様の点については、説明を省略する。
【００７０】
図５に示すフロントエンドは、セットが、２つの異なるアップストリーム信号（１、２）を選択的に入力端子（Ｉ）より送信する必要がある場合に用いられるものである。アップストリーム信号（１、２）は、それぞれ、変調器３５、３７で変調、アンプ３６、アンプ３８で増幅される。そして、必要なアップストリーム信号に応じた経路を、スイッチ５３（切り換え部）で切り替える。送信される信号は、スイッチを経由して、ローパスフィルタ５１で帯域制限を受けた後、入力端子（Ｉ）より送信される。
【００７１】
図４の結合器を用いる場合は、理論的に３ｄＢの損失が発生するが、スイッチを用いる場合には、理論的に損失を０ｄＢにすることができる。このため、アンプ３６、３８で必要な出力レベルが３ｄＢ程度減らすことができる。本構成により、２つの異なるアップストリーム信号を選択的に送信することが可能となっている。また、結合器を用いる場合に発生していた損失をなくすことができる。
【００７２】
図６は、本実施形態の一例のブロック図を、ＳＴＢのフロントエンド部全体を含め、図示している。図６の動作について、以下説明する。なお、図１と同様の点については、説明を省略する。
【００７３】
図６に示すフロントエンドは、セットが、２つの異なるアップストリーム信号（１、２）を同時に入力端子（Ｉ）より送信する必要がある場合で、かつ、アップストリーム信号（１、２）の帯域がそれぞれ異なる場合に用いられるものである。アップストリーム信号（１、２）は、それぞれ、変調器３５、変調器３７で変調、アンプ３６、アンプ３８で増幅後、フロントエンドモジュール内で、それぞれに最適なローパスフィルタ５４、ローパスフィルタ５５にて帯域制限を受けた後、結合器５６（結合部）にて結合され、入力端子（Ｉ）より送信される。
【００７４】
本構成により、２つの異なるアップストリーム信号を全く同時に、送信することが可能となると同時に、それぞれの信号に対し、最適な帯域制限を別々のローパスフィルタによってかけることができる。
【００７５】
図７は、本実施形態の一例のブロック図を、ＳＴＢのフロントエンド部全体を含め、図示している。図７の動作について、以下説明する。なお、図１と同様の点については、説明を省略する。
【００７６】
図７に示すフロントエンドは、セットが、２つの異なるアップストリーム信号（１、２）を選択的に入力端子（Ｉ）より送信する必要がある場合で、かつ、アップストリーム信号（１、２）の帯域がそれぞれ異なる場合に用いられるものである。アップストリーム信号（１、２）は、それぞれ、変調器３５、変調器３７で変調、アンプ３６、アンプ３８で増幅後、フロントエンドモジュール内で、それぞれに最適なローパスフィルタ５４、５５にて帯域制限を受ける。そして、必要なアップストリーム信号に応じた経路を、スイッチ５７（切り換え部）で切り替える。送信される信号は、スイッチ５７を経由、入力端子（Ｉ）より送信される。
【００７７】
図６の結合器を用いる場合は、理論的に３ｄＢの損失が発生するが、スイッチを用いる場合には、理論的に損失を０ｄＢにすることができる。このため、アンプ３６、３８で必要な出力レベルが３ｄＢ程度減らすことができる。本構成により、２つの異なるアップストリーム信号を選択的に送信することが可能となると同時に、それぞれの信号に対し、最適な帯域制限を別々のローパスフィルタによってかけることができる。また、結合器を用いる場合発生していた損失をなくすことができる。
【００７８】
図８は、本実施形態の一例であり、フロントエンドモジュールの外形の一例を示している。信号は、入力信号は、図中の入力端子２ａより入力され、内部で分配の上、図中の分配出力端子２ｄより出力される。分配出力端子２ｄは、コネクタ付き同軸ケーブルとしてＲＣＡ  ＰＩＮ  ＰＬＵＧ付き同軸ケーブルを採用している。
【００７９】
本構成により、フロントエンドモジュールと映像受信用チューナユニットとの接続により懸念される電気性能の劣化を、フロントエンドモジュールの分配出力端子として図８に代表されるコネクタ付き同軸ケーブルを採用することで回避している。それだけでなく、ユニット間の接続に用いられる同軸ケーブルが必要なくなり、セット実装時、ユニット接続が容易になるだけでなく、同軸ケーブルを含めた性能をユニット供給業者が保証することから、セットの設計、評価を容易にすることができる。
【００８０】
なお、図８はあくまで一例であり、この発明の実施形態として、入力端子、及び、分配出力端子の種類、位置関係、また、モジュール筐体形状を限定するものではない。
【００８１】
図９は、本実施形態の一例のブロック図を、ＳＴＢのフロントエンド部全体を含め、図示している。図９の動作について、以下説明する。なお、図１と同様の点については、説明を省略する。ハイパスフィルタ４１、分配器４２およびアンプ４３によって分配ユニットが構成されている。
【００８２】
入力端子（Ｉ）から入力されたダウンストリーム信号（受信信号）は、ハイパスフィルタ４１により帯域制限された後、アンプ４３により増幅される。この信号が、分配器４２により分配し、各選択受信用チューナへ送られる。ここで、アンプ４３での増幅量を分配器４２での損失分（ロス）と同じにした場合、各選択受信用チューナへの信号入力レベルを、図２０、２１に示された従来の個別のセットと同一のレベルに設定することが可能となり、従来評価していた選択受信用チューナをそのまま利用することができる。
【００８３】
また、セットトータル（ＳＴＢのフロントエンド部全体）のNoise Figure（ノイズ特性）は、アンプ４３がない場合、選択受信用チューナのNoise Figureに分配器４２での損失分を加えたものになるが、アンプ４３を入れることにより、セットトータルのNoise Figureを改善することができる。
【００８４】
本構成により、従来評価していた選択受信用チューナをそのまま利用することができる。また、セットトータルのNoise Figureを改善することができる。
【００８５】
図１０は、本実施形態の一例のブロック図を、ＳＴＢのフロントエンド部全体を含め、図示している。図１０の動作について、以下説明する。なお、図９と同様の点については、説明を省略する。ハイパスフィルタ４１、分配器４２、アンプ４３および可変減衰器４４によって分配ユニットが構成されている。
【００８６】
入力端子（Ｉ）から入力されたダウンストリーム信号は、ハイパスフィルタ４１により帯域制限された後、アンプ４３により増幅される。この信号は、入力信号レベルが一定以上にあるとき、そのレベルに応じ、可変減衰器４４により減衰され、分配器４２により、分配し、各選択受信用チューナへ送られる。
【００８７】
本構成により、各選択受信用チューナへの信号入力レベルを一定レベル以下に制限でき、各選択受信用チューナにそれぞれに従来備わっていた図示しない可変減衰回路を削減することが可能となる。
【００８８】
図１１は、本実施形態の一例のブロック図を、ＳＴＢのフロントエンド部全体を含め、図示している。図１１の動作について、以下説明する。なお、図９と同様の点については、説明を省略する。ハイパスフィルタ４１、分配器４２、アンプ４３および可変減衰器４４によって分配ユニットが構成されている。
【００８９】
入力端子（Ｉ）から入力されたダウンストリーム信号は、ハイパスフィルタ４１により、帯域制限された後、入力信号レベルが一定以上にあるとき、そのレベルに応じ、可変減衰器４４により減衰される。この信号は、アンプ４３により増幅され、分配器４２により分配され、各選択受信用チューナへ送られる。アンプ４３に信号が入力される以前に可変減衰器が信号レベルを一定レベル以下に抑えるため、アンプ４３にて発生する信号の歪みを低減することが出来る。
【００９０】
本構成により、各選択受信用チューナへの信号入力レベルを一定レベル以下に制限でき、各選択受信用チューナにそれぞれに従来備わっていた可変減衰回路を削減することが可能となるだけでなく、強入力信号時に前記アンプで発生する歪みを低減することができる。
【００９１】
図１２は、本実施形態の一例のブロック図を、ＳＴＢのフロントエンド部全体を含め、図示している。図１２の動作について、以下説明する。なお、図１と同様の点については、説明を省略する。ハイパスフィルタ４１、分配器４２およびアンプ４５によって分配ユニットが構成されている。
【００９２】
入力端子（Ｉ）から入力されたダウンストリーム信号は、ハイパスフィルタ４１により帯域制限された後、分配器４２により分配される。分配器４２出力のうち、データ受信用チューナユニットへの出力は、そのままチューナへ送られる。映像受信用チューナユニットへの出力は、さらに、アンプ４５により増幅され、出力される。
【００９３】
本構成によって、映像受信用チューナユニットへの出力のレベルをデータ受信用チューナユニットと無関係に設定できるため、最適レベルとすることができる。
【００９４】
一般に、チューナユニットは、単体で最適ゲインに設定されている。そのため、上記のように分配器４２により分配される構成としたときに、そのままでは、この分配器４２によりゲインのロスが生じ、それによってトータルのゲインが不足する可能性がある。これに対し、上記図１２のような構成では、映像受信用チューナユニットへの出力は、さらに、アンプ４５により増幅され、出力されるので、このようなトータルのゲイン不足の発生を抑えることができる。
【００９５】
図１３は、本実施形態の一例のブロック図を、ＳＴＢのフロントエンド部全体を含め、図示している。図１３の動作について、以下説明する。なお、図１２と同様の点については、説明を省略する。ハイパスフィルタ４１、分配器４２、アンプ４５および可変減衰器４６によって分配ユニットが構成されている。
【００９６】
入力端子（Ｉ）から入力されたダウンストリーム信号は、ハイパスフィルタ４１により帯域制限された後、分配器４２により分配される。分配器４２出力のうち、データ受信用チューナユニットへの出力は、そのままチューナへ送られる。映像受信用チューナユニットへの出力は、さらに、アンプ４５により増幅され、信号レベルが一定以上にあるとき、そのレベルに応じ、可変減衰器４６により減衰され、出力される。
【００９７】
本構成によって、映像受信用チューナユニットへの出力のレベルをデータ受信用チューナユニットと無関係な、最適レベル以下に設定することができる。
【００９８】
また、映像受信用チューナに従来備わっていた図示しない可変減衰回路を削減することが可能となる。
【００９９】
図１４は、本実施形態の一例のブロック図を、ＳＴＢのフロントエンド部全体を含め、図示している。図１４の動作について、以下説明する。なお、図１２と同様の点については、説明を省略する。ハイパスフィルタ４１、分配器４２、アンプ４５および可変減衰器４６によって分配ユニットが構成されている。
【０１００】
入力端子（Ｉ）から入力されたダウンストリーム信号は、ハイパスフィルタ４１により帯域制限された後、分配器４２により分配される。分配器４２出力のうち、データ受信用チューナユニットへの出力は、そのままチューナへ送られる。映像受信用チューナユニットへの出力は、さらに、信号レベルが一定以上にあるとき、そのレベルに応じ、可変減衰器４６により減衰され、アンプ４５により増幅され、出力される。
【０１０１】
本構成によって、映像受信用チューナユニットへの出力のレベルを、データ受信用チューナユニットと無関係な最適レベル以下に設定することができる。また、映像受信用チューナユニットに従来備わっていた図示しない可変減衰回路を削減することが可能となる。
【０１０２】
これらに加え、アンプ４５に信号が入力される以前に可変減衰器が信号レベルを一定レベル以下に抑えるため、アンプ４５にて発生する信号の歪みを低減することが出来る。
【０１０３】
図１５は、本実施形態の一例のブロック図を、ＳＴＢのフロントエンド部全体を含め、図示している。図１５の動作について、以下説明する。なお、図１と同様の点については、説明を省略する。ハイパスフィルタ４１および分岐器４７によって分配ユニットが構成されている。
【０１０４】
入力端子（Ｉ）から入力されたダウンストリーム信号は、ハイパスフィルタ４１により帯域制限された後、分岐器４７（分配素子）の入力端子４７ａに入力され、分岐端子４７ｂによりデータ受信用チューナユニットへ出力され、出力端子４７ｃにより映像受信用チューナユニットへの出力へ出力される。
【０１０５】
分岐器４７は、分配機能を有する素子（分配素子）である。これは図１７、図１８のような構成を有している。図１７の構成を簡略化したものが図１８である。すなわち、分岐器６５（分岐器４７に相当する）は、入力端子ＩＮ（４７ａに相当する）から入力された信号を出力端子ＯＵＴ（４７ｃに相当する）と分岐端子ＢＲ（４７ｂに相当する）とに分配、すなわち同時に両方に出力する作用を有している。図中、Ｔ１、Ｔ２はトランス、Ｒ、ｒは抵抗、ｅ、ｅ’は電圧、ｉ１、ｉ２、ｉ’２は電流である。
【０１０６】
入力端子ＩＮ（４７ａ）および出力端子ＯＵＴ（４７ｃ）はトランスＴ１の一方の側であり、分岐端子ＢＲ（４７ｂ）はトランスＴ１の他方の側である。出力端子ＯＵＴ（４７ｃ）および分岐端子ＢＲ（４７ｂ）の一方に、分配ユニットと一つの金属筐体で覆われているチューナユニットが接続されている。すなわち、ここでは、分岐端子ＢＲ（４７ｂ）に、分配ユニットと一つの金属筐体で覆われているチューナユニットであるデータ受信用チューナが接続されており、出力端子ＯＵＴ（４７ｃ）に、分配ユニットと一つの金属筐体で覆われておらず別筐体として接続されているチューナユニットである映像受信用チューナユニット３が接続されている。逆に、出力端子ＯＵＴに、分配ユニットと一つの金属筐体で覆われているチューナユニットが接続されている構成とすることもできる。
【０１０７】
ここで、一般に、データ受信用チューナユニットの発振周波数帯域は１３４．７５ＭＨｚ〜９００．７５ＭＨｚであり、映像信号の受信周波数帯域は５５．２５ＭＨｚ〜８５９．２５ＭＨｚであるため、データ受信用チューナユニットの発振周波数帯域は映像信号の受信周波数帯域内に入る。一方、一般に、映像受信用チューナユニットの発振周波数帯域は１ＧＨｚ以上であり、データ信号の受信周波数帯域は８８ＭＨｚ〜８６０ＭＨｚであるため、映像受信用チューナユニットの発振周波数帯域はデータ信号の受信周波数帯域内に入らない。上記のように、データ受信用チューナユニットの発振周波数は、映像信号の受信周波数帯域内に入るため、その発振信号の漏れは、映像受信用チューナの妨害となる。一方で、映像受信用チューナユニットの発振周波数は、データ信号の受信周波数帯域外となるため、データ受信用チューナユニットの妨害とはならない。このため、本構成では、データ受信用チューナユニットから映像受信用チューナユニットへのアイソレーション（クロストーク）を、逆に比べ、小さくとるようにしている。分岐回路４７の分岐端子４７ｂから出力端子４７ｃへのアイソレーションは、分配回路の出力端子間のそれと、比べ、小さくできる。よって、本構成により、データ受信用チューナユニットから映像受信用チューナへのアイソレーションを、小さくとることができる。
【０１０８】
また、図１等を用いた上記の説明では、チューナユニットが２つであり、うち一つ（データ受信用チューナユニット）が分配ユニットと同じ金属筐体に格納されており、もう一つ（映像受信用チューナユニット）が分配ユニットとは別に用意され、分配ユニットの分配出力端子と接続されている構成について述べた。ここで、１つの分配ユニットから分配されるチューナユニットが２つ以上であって、うち一つ以上のチューナユニットが分配ユニットと同じ金属筐体に格納されており、残り（同じく１つ以上）のチューナユニットが、分配ユニットとは別に用意され、分配ユニットの分配出力端子と接続されている構成とすることもできる。
【０１０９】
なお、本発明は、複数の変調信号を同時に受信できるデジタルＳＴＢにおいて用いられる、フロントエンドモジュールにおいて、信号入力端子に直接繋がり、アップストリーム信号とダウンストリーム信号を分けるディプレクサ（Ｄｉｐｌｅｘｅｒ）を備え、かつ、ダウンストリーム信号を分配する分配手段を備え、一方の分配された信号を選択受信するチューナ機能を備え、もう一方の分配された信号を他の選択受信用チューナに分配出力するモジュールであって、後者の分配出力用端子として、同軸構造をもつコネクタを採用したように構成することができる。
【０１１０】
上記の構成によれば、セットに必要な高周波ユニットの数は、３個から２個に低減され、コストメリットがあるだけでなく、高周波ユニット間の接続部は、２箇所から１箇所になり、評価期間の短縮を見込むことができる。また、出力端子として、同軸構造をもつコネクタを採用することで、出力端子のインピーダンスを安定化させ、ユニットの接続による電気的性能の劣化を抑えることができるようになる。
【０１１１】
また、本発明は、ディプレクサ後のアップストリーム経路に複数のアップストリーム信号を結合する結合器を備えたように構成することができる。
【０１１２】
上記の構成によれば、複数のアップストリーム信号を同時に送信することができる。
【０１１３】
また、本発明は、ディプレクサ後のアップストリーム経路に、複数のアップストリーム信号から必要な信号を選択するスイッチを備えたように構成することができる。
【０１１４】
上記の構成によれば、複数のアップストリーム信号を用いるシステムで、かつ、選択したアップストリーム信号を送信する場合において、結合器を用いる場合に比べ、アップストリーム信号の損失を低減することができる。
【０１１５】
また、本発明は、複数の変調信号を同時に受信できるデジタルＳＴＢにおいて用いられる、フロントエンドモジュールであって、信号入力端子に直接繋がる、複数のアップストリーム信号を結合させる結合器と、ダウンストリーム信号を通過させるハイパスフィルタと、前記結合器に繋がる帯域の異なる複数のローパスフィルタとを備え、かつ、ダウンストリーム信号を分配する分配手段を備え、一方の分配された信号を選択受信するチューナ機能を備え、もう一方の分配された信号を他の選択受信用チューナに分配出力するモジュールであって、後者の分配出力用端子として、同軸構造をもつコネクタを採用したように構成することができる。
【０１１６】
上記の構成によれば、セットに必要な高周波ユニットの数の低減、評価期間の短縮、同軸構造をもつコネクタの採用による高周波ユニット接続の容易化だけでなく、複数の帯域の異なるアップストリーム信号を、それぞれに最適なローパスフィルタによって帯域制限をしながら、同時に送信することができる。
【０１１７】
また、本発明は、複数の変調信号を同時に受信できるデジタルＳＴＢにおいて用いられる、フロントエンドモジュールであって、信号入力端子に直接繋がる、複数のアップストリーム信号から、必要な信号を選択するスイッチとダウンストリーム信号を通過させるハイパスフィルタと、前記スイッチに繋がる帯域の異なる複数のローパスフィルタを備え、かつ、ダウンストリーム信号を分配する分配手段を備え、一方の分配された信号を選択受信するチューナ機能を備え、もう一方の分配された信号を他の選択受信用チューナに分配出力するモジュールであって、後者の分配出力用端子として、同軸構造をもつコネクタを採用したように構成することができる。
【０１１８】
上記の構成によれば、セットに必要な高周波ユニットの数の低減、評価期間の短縮、同軸構造をもつコネクタの採用による高周波ユニット接続の容易化だけでなく、複数の帯域の異なるアップストリーム信号を用いるシステムで、かつ、同時にアップストリーム信号を送信しない場合において、それぞれに最適なローパスフィルタによって帯域制限をしながら、送信することができ、また、結合器を用いる場合に比べ、アップストリーム信号のロスを低減することができる。
【０１１９】
また、本発明は、分配出力用端子として、コネクタ付き同軸ケーブルを採用したように構成することができる。
【０１２０】
上記の構成によれば、セット評価者は、コネクタ付き同軸ケーブルを用意する必要が無くなり、さらに、ユニット供給者により、ケーブルを含めた性能が保証されるため、セットの設計、評価を容易にすることができる。
【０１２１】
また、本発明は、ディプレクサ（もしくは、ハイパスフィルタ）と分配手段の間に、アンプを備えるように構成することができる。
【０１２２】
上記の構成によれば、分配によるロスを保証することにより、各選択受信用チューナへの信号入力レベルを従来の個別のセットと同一のレベルに設定することが可能となり、従来評価していた選択受信用チューナをそのまま利用することができる。
【０１２３】
また、セットトータルのNoise Figure（ノイズ特性）を改善することができる。
【０１２４】
また、本発明は、アンプと分配回路の間に、可変減衰回路を備えるように構成することができる。
【０１２５】
上記の構成によれば、可変減衰回路を、入力信号レベルに応じ、適切に制御することで、各選択受信用チューナへの信号入力レベルを一定レベル以下に制限でき、各選択受信用チューナのそれぞれに、従来備わっていた可変減衰回路を削減することが可能となる。
【０１２６】
また、本発明は、ディプレクサ（もしくは、ハイパスフィルタ）とアンプの間に、可変減衰回路を備えるように構成することができる。
【０１２７】
上記の構成によれば、可変減衰回路を、入力信号レベルに応じ、適切に制御することで、各選択受信用チューナへの信号入力レベルを一定レベル以下に制限でき、各選択受信用チューナのそれぞれに、従来備わっていた可変減衰回路を削減することが可能となるだけでなく、強入力信号時に前記アンプで発生する歪みを低減することができる。
【０１２８】
また、本発明は、分配手段から分配出力端子までの経路に、アンプを備えるように構成することができる。
【０１２９】
上記の構成によれば、分配出力端子側の受信用チューナへの信号入力レベルを最適レベルに設定することができる。
【０１３０】
また、本発明は、アンプと分配出力端子までの経路に、可変減衰回路を備えるように構成することができる。
【０１３１】
上記の構成によれば、可変減衰回路を、入力信号レベルに応じ、適切に制御することで、分配出力端子側の受信用チューナへの信号入力レベルを、最適な一定レベル以下に制限できる。
【０１３２】
また、本発明は、分配手段とアンプの間に、可変減衰回路を備えるように構成することができる。
【０１３３】
上記の構成によれば、可変減衰回路を、入力信号レベルに応じて適切に制御することで、分配出力端子側の受信用チューナへの信号入力レベルを、最適な一定レベル以下に制限できるだけでなく、強入力信号時に前記アンプで発生する歪みを低減することができる。
【０１３４】
また、本発明は、ダウンストリーム信号を分配する分配手段の代わりに、分岐手段を備えたように構成することができる。
【０１３５】
通常、データ受信用チューナの発信周波数は、受信周波数帯域内に入るため、データ受信用チューナから映像受信用チューナのアイソレーションは、逆に比べ、大きく取る必要がある。分岐回路の分岐端子から出力端子へのアイソレーションは、分配回路の出力端子間のそれと比べ、大きくできるため、データ受信用チューナへの出力に分岐端子を用いれば、データ受信用チューナから映像受信用チューナへのアイソレーションを大きく取ることができる。
【０１３６】
【発明の効果】
以上のように、本発明の信号処理装置は、チューナユニットのうちの少なくとも一つと分配ユニットとが一つの金属筐体で覆われ、他のチューナユニットと上記分配ユニットとを接続するための分配出力端子を備えている構成である。
【０１３７】
これにより、分配ユニットと、それと同一の筐体に入っているチューナユニットとについては、製造時点で相性の正確・精密な調整が可能である。また、分配出力端子にて、今まで使っているチューナユニットを将来も使用することができる。それゆえ、新たな装置の相性の問題と、今までの装置に使用できる汎用性とを両立することができるという効果を奏する。
【０１３８】
また、本発明の信号処理装置は、上記の構成に加えて、上記分配ユニットと一つの金属筐体で覆われているチューナユニットは、上記分配された信号からケーブルテレビ映像信号以外の信号を選択受信し、当該信号を復調方式に応じた周波数に変換するチューナ機能を備える構成である。
【０１３９】
これにより、すでにケーブルテレビ受信装置を取り付けている環境において、そのケーブルテレビ受信装置を生かしながら、ケーブルテレビ放送受信と、それ以外の通信とを使用することができるという効果を奏する。
【０１４０】
また、本発明の信号処理装置は、上記の構成に加えて、２つ以上の送信信号がそれぞれ入力される複数の送信信号入力部と、上記送信信号入力部にて入力された上記２つ以上の送信信号のうちの少なくとも一つを上記通信経路へ送信する送信経路を備えた構成である。
【０１４１】
これにより、上記通信経路へ、２つ以上の送信信号のうちの少なくとも一つが送信される。それゆえ、上記の構成による効果に加えて、すでにある通信経路を利用して、２つ以上の送信信号のうちの少なくとも一つを送信することができるという効果を奏する。
【０１４２】
また、本発明の信号処理装置は、上記構成に加えて、上記通信経路へ送信するものとして、２つ以上の上記送信信号を結合する結合部を備えた構成である。
【０１４３】
これにより、上記の構成による効果に加えて、すでにある通信経路を利用して、２つ以上の送信信号の両方を同時に送信することができるという効果を奏する。
【０１４４】
また、本発明の信号処理装置は、上記の構成に加えて、上記各送信信号入力部と上記結合部との間に、送信経路ごとにローパスフィルタを備えている構成である。
【０１４５】
これにより、上記の構成による効果に加えて、複数の送信経路の帯域が互いに異なっていても、それぞれに最適なローパスフィルタを備えることができるという効果を奏する。
【０１４６】
また、本発明の信号処理装置は、上記の構成に加えて、上記通信経路へ送信する上記送信信号を切り換える切り換え部を備えた構成である。
【０１４７】
これにより、２つ以上の上記送信信号を切り換えることで、そのうちの一つを上記通信経路へ送信する。それゆえ、上記の構成による効果に加えて、すでにある通信経路を利用して、２つ以上の送信信号を切り換えながら送信することができるという効果を奏する。
【０１４８】
また、本発明の信号処理装置は、上記の構成に加えて、上記各送信信号入力部と上記結合部との間に、送信経路ごとにローパスフィルタを備えている構成である。
【０１４９】
これにより、上記の構成による効果に加えて、複数の送信経路の帯域が互いに異なっていても、それぞれに最適なローパスフィルタを備えることができるという効果を奏する。
【０１５０】
また、本発明の信号処理装置は、上記の構成に加えて、上記分配出力端子に、コネクタ付き同軸ケーブルが備えられている構成である。
【０１５１】
これにより、上記の構成による効果に加えて、コネクタ付き同軸ケーブルの分も含めて、信号処理装置内の各部材同士の相性を、製造時点で正確・精密に調整することが可能になるという効果を奏する。
【０１５２】
また、本発明の信号処理装置は、上記の構成に加えて、上記分配ユニット内に、上記受信信号が入力される入力部と、上記入力部から入力された受信信号を各チューナユニットに分配する分配素子とを備え、上記入力部と上記分配素子との間に、増幅器が備えられている構成である。
【０１５３】
これにより、上記の構成による効果に加えて、分配素子による信号レベルのロスを補償することができるという効果を奏する。
【０１５４】
また、本発明の信号処理装置は、上記の構成に加えて、上記増幅器と上記分配素子との間に、可変減衰回路が備えられている構成である。
【０１５５】
これにより、上記の構成による効果に加えて、各チューナユニットへの信号入力レベルを一定レベル以下に制限する場合に、各チューナユニットにそれぞれ可変減衰回路を設ける必要をなくすことができるという効果を奏する。
【０１５６】
また、本発明の信号処理装置は、上記の構成に加えて、上記入力部と上記増幅器との間に、可変減衰回路が備えられている構成である。
【０１５７】
これにより、上記の構成による効果に加えて、各チューナユニットへの信号入力レベルを一定レベル以下に制限する場合に、各チューナユニットにそれぞれ可変減衰回路を設ける必要をなくすことができるとともに、入力信号レベルが大きいときに、上記増幅器で発生する歪みを低減することができるという効果を奏する。
【０１５８】
また、本発明の信号処理装置は、上記の構成に加えて、上記分配ユニット内に、上記受信信号が入力される入力部と、上記入力部から入力された受信信号を各チューナユニットに分配する分配素子とを備え、上記分配素子と上記分配出力端子との間に、増幅器が備えられている構成である。
【０１５９】
これにより、上記の構成による効果に加えて、分配出力端子側のチューナユニットへの信号入力レベルを最適レベルに設定することができるという効果を奏する。
【０１６０】
また、本発明の信号処理装置は、上記の構成に加えて、上記増幅器と上記分配出力端子との間に、可変減衰回路が備えられている構成である。
【０１６１】
これにより、上記構成による効果に加えて、可変減衰回路を入力信号レベルに応じて適切に制御することで、分配出力端子側のチューナユニットへの信号入力レベルを最適な一定レベル以下に制限することができるという効果を奏する。
【０１６２】
また、本発明の信号処理装置は、上記の構成に加えて、上記分配素子と上記増幅器との間に、可変減衰回路が備えられている構成である。
【０１６３】
これにより、上記の構成による効果に加えて、可変減衰回路を入力信号レベルに応じて適切に制御することで、分配出力端子側のチューナユニットへの信号入力レベルを最適な一定レベル以下に制限することができるとともに、入力信号レベルが大きいときに、上記増幅器で発生する歪みを低減することができるという効果を奏する。
【０１６４】
また、本発明の信号処理装置は、上記の構成に加えて、上記分配ユニット内に、上記受信信号が入力される入力部と、上記入力部から入力された受信信号を各チューナユニットに分配する分配素子とを備え、上記分配素子が、トランスの一方の側である入力端子および出力端子と、そのトランスのもう一方の側である分岐端子とを備えた分岐器であり、上記分岐器の入力端子に上記入力部が接続され、上記複数台のチューナユニットのうち、上記分岐器の分岐端子に、他のチューナユニットが選択受信する受信周波数帯域内に入る発振周波数帯域を有するチューナユニットが接続され、上記分岐器の出力端子に、上記分岐端子に接続されたチューナユニット以外のチューナユニットが接続され、上記分岐器の出力端子および分岐端子の何れかに接続されているチューナユニットが、上記分配ユニットと一つの金属筐体で覆われている構成である。
【０１６５】
これにより、上記分岐器の分岐端子から上記分岐器の出力端子へのクロストークは小さい。それゆえ、上記の構成による効果に加えて、各チューナユニットで良好に信号を受信することができるという効果を奏する。
【図面の簡単な説明】
【図１】本発明に係るフロントエンドモジュールを備えたＳＴＢのフロントエンド部の一構成例を示すブロック図である。
【図２】本発明に係るフロントエンドモジュールの一構成例を示す平面図である。
【図３】本発明に係るフロントエンドモジュールの他の構成例を示す平面図である。
【図４】本発明に係るフロントエンドモジュールを備えたＳＴＢのフロントエンド部の他の構成例を示すブロック図である。
【図５】本発明に係るフロントエンドモジュールを備えたＳＴＢのフロントエンド部のさらに他の構成例を示すブロック図である。
【図６】本発明に係るフロントエンドモジュールを備えたＳＴＢのフロントエンド部のさらに他の構成例を示すブロック図である。
【図７】本発明に係るフロントエンドモジュールを備えたＳＴＢのフロントエンド部のさらに他の構成例を示すブロック図である。
【図８】本発明に係るフロントエンドモジュールのさらに他の構成例を示す平面図である。
【図９】本発明に係るフロントエンドモジュールを備えたＳＴＢのフロントエンド部のさらに他の構成例を示すブロック図である。
【図１０】本発明に係るフロントエンドモジュールを備えたＳＴＢのフロントエンド部のさらに他の構成例を示すブロック図である。
【図１１】本発明に係るフロントエンドモジュールを備えたＳＴＢのフロントエンド部のさらに他の構成例を示すブロック図である。
【図１２】本発明に係るフロントエンドモジュールを備えたＳＴＢのフロントエンド部のさらに他の構成例を示すブロック図である。
【図１３】本発明に係るフロントエンドモジュールを備えたＳＴＢのフロントエンド部のさらに他の構成例を示すブロック図である。
【図１４】本発明に係るフロントエンドモジュールを備えたＳＴＢのフロントエンド部のさらに他の構成例を示すブロック図である。
【図１５】本発明に係るフロントエンドモジュールを備えたＳＴＢのフロントエンド部のさらに他の構成例を示すブロック図である。
【図１６】本発明に係るフロントエンドモジュールに用いられる分配器の一構成例を示すブロック図である。
【図１７】本発明に係るフロントエンドモジュールに用いられる分岐器の一構成例を示すブロック図である。
【図１８】本発明に係るフロントエンドモジュールに用いられる分岐器の一構成例を示すブロック図である。
【図１９】従来のデジタルＣＡＴＶ用ＳＴＢのフロントエンド部の構成例を示すブロック図である。
【図２０】従来のデジタルＣＡＴＶ用ＳＴＢのフロントエンド部の構成例を示すブロック図である。
【図２１】従来のケーブルモデムのフロントエンド部の構成例を示すブロック図である。
【図２２】従来の複数の変調信号を同時に受信できるデジタルＳＴＢのフロントエンド部の構成例を示すブロック図である。
【符号の説明】
１    フロントエンド部
２    フロントエンドモジュール（信号処理装置）
２ａ  入力端子
２ｂ  分配出力端子
２ｃ  分配出力端子
２ｄ  分配出力端子
３    映像受信用チューナユニット
１１    アンプ
１２    バンドパスフィルタ
１３    アンプ
１４    バンドパスフィルタ
１５    ミキサ
１６    オシレータ
１７    アンプ
１８    ＳＡＷフィルタ
１９    アンプ
２０    ＱＡＭ復調回路
２１    アンプ
２２    ミキサ
２３    オシレータ
２４    バンドパスフィルタ
２５    アンプ
２６    バンドパスフィルタ
２７    ミキサ
２８    オシレータ
２９    アンプ
３０    バンドパスフィルタ
３１    復調回路
３２    変調器
３３    アンプ
３４    変調器
３５    変調器（送信信号入力部）
３６    アンプ
３７    変調器（送信信号入力部）
３８    アンプ
４１    ハイパスフィルタ
４２    分配器（分配素子）
４３    アンプ
４４    可変減衰器
４５    アンプ
４６    可変減衰器
４７    分岐器（分配素子）
４７ａ  入力端子
４７ｂ  分岐端子
４７ｃ  出力端子
５１    ローパスフィルタ
５２    結合器（結合部）
５３    スイッチ（切り換え部）
５４    ローパスフィルタ
５５    ローパスフィルタ
５６    結合器（結合部）
５７    スイッチ（切り換え部）
６１    分配器（分配素子）
６２    インピーダンス変成器
６３    分配回路
６５    分岐器（分配素子）
【図１】
0003958007.tif 000002
【図２】
0003958007.tif 000003
【図３】
0003958007.tif 000004
【図４】
0003958007.tif 000005
【図５】
0003958007.tif 000006
【図６】
0003958007.tif 000007
【図７】
0003958007.tif 000008
【図８】
0003958007.tif 000009
【図９】
0003958007.tif 000010
【図１０】
0003958007.tif 000011
【図１１】
0003958007.tif 000012
【図１２】
0003958007.tif 000013
【図１３】
0003958007.tif 000014
【図１４】
0003958007.tif 000015
【図１５】
0003958007.tif 000016
【図１６】
0003958007.tif 000017
【図１７】
0003958007.tif 000018
【図１８】
0003958007.tif 000019
【図１９】
0003958007.tif 000020
【図２０】
0003958007.tif 000021
【図２１】
0003958007.tif 000022
【図２２】
0003958007.tif 000023